(57)【特許請求の範囲】
【請求項１】
主回路スイッチと、
スイッチと当該スイッチと逆並列接続され当該スイッチとは逆方向の電流のみを流す素子との組み合わせたユニットを複数組有するブリッジ接続体と、直流電源もしくはコンデンサとを有し、前記主回路スイッチに並列接続された強制転流回路と、
前記主回路スイッチに流れる電流の状態を検出する検出手段と、
前記検出手段からの出力に基づいて前記強制転流回路のスイッチを制御することで、前記強制転流回路から供給される出力電流の重畳により前記主回路スイッチに流れる電流を強制的に電流零点にして遮断し、遮断失敗のときは前記強制転流回路のスイッチの切替により再び強制的に電流零点をつくることを繰り返す制御回路と
を備えた開閉装置。
【請求項２】
請求項１に記載の開閉装置おいて、
前記制御回路は、前記主回路スイッチに流れる電流を強制的に電流零点にして前記主回路スイッチを遮断し、遮断失敗のときは前記強制転流回路のスイッチを切ることにより前記強制転流回路の出力電流を前記直流電源もしくはコンデンサに帰還することで主回路スイッチに流れる電流を再び電流零点にし、さらに遮断失敗のときは、再び前記強制転流回路のスイッチを入りにすることで、強制転流回路の出力電流を増加させ、前記主回路スイッチに流れる電流を再び電流零点にし、同様に前記スイッチを入り切りすることで、前記主回路スイッチに流れる電流を再び強制的に電流零点になることを繰り返す
ことが特徴とする開閉装置。
【請求項３】
請求項１に記載の開閉装置おいて、
前記制御回路は、前記主回路スイッチに流れる電流を強制的にする電流零点で遮断失敗のときは前記強制転流回路から前記主回路スイッチに流れる出力電流を環流する回路に切り替えることで再び電流零点をつくる
ことを特徴とする開閉装置。
【請求項４】
請求項１ないし３のいずれかに記載の開閉装置おいて、
前記検出手段は、前記主回路スイッチに流れる電流を測定するセンサである
ことを特徴とする開閉装置。
【請求項５】
請求項１ないし４のいずれかに記載の開閉装置おいて、
前記強制転流回路におけるスイッチの許容極間電圧を、主回路スイッチが電流遮断した後、主回路の回生エネルギー吸収により上昇する前記コンデンサまたは直流電源の電圧より高く設定する
ことを特徴とする開閉装置。
【請求項６】
請求項１ないし５のいずれかに記載の開閉装置おいて、
前記ブリッジ接続体を有する前記強制転流回路に代えて、前記主回路スイッチに直流電流が流れる場合に、スイッチと当該スイッチと逆並列接続され当該スイッチとは逆方向の電流のみを流す素子からなるユニットと、直流電源もしくはコンデンサと、出力電流を環流させるための整流素子とで構成された他の強制転流回路に置き換えた
ことを特徴とする開閉装置。
【請求項７】
請求項１ないし５のいずれかに記載の開閉装置おいて、
前記主回路スイッチと前記強制転流回路との間にトランスを配置する
ことが特徴とする開閉装置。
【発明の詳細な説明】
【０００１】
【発明の属する技術分野】
この発明は、主回路スイッチと強制転流回路とで構成される開閉装置に関するものである。
【０００２】
【従来の技術】
図１１は、電気学会研究会資料、ＳA-９７-３４、１９９７「高速スイッチを適用した限流装置」に開示された開閉装置を示す構成図である。
図１１において、１は主回路スイッチ、２は交流電源、４はインダクタンス、８は電流センサ、８０と８１は強制転流回路を構成するコンデンサとインダクタンスを示し、また、５０，５２および５３は、図１２に示す如く、主回路スイッチ１に流れる電流、主回路スイッチ１と強制転流回路を流れる全電流、強制転流回路を流れる高周波電流をそれぞれ示す。
【０００３】
図１１に示す開閉装置において、主回路スイッチ１は機械スイッチでなり、電流零点でないと遮断できない。そこで、主回路スイッチ１に流れる電流に強制転流回路から高周波電流５３を流すことで、強制電流零点をつくり、強制遮断をする。
【０００４】
【発明が解決しようとする課題】
しかしながら、主回路スイッチ１の遮断に必要な接点ギャップ長が不足することにより、最初の強制電流零点で電流遮断不能となる場合がある。
【０００５】
そこで、この発明は上述した従来例に係る問題点を解消するためになされたもので、電流遮断の信頼性を向上させることができる強制転流回路を有する開閉装置を得ることを目的とする。
【０００６】
【課題を解決するための手段】
この発明に係る開閉装置は、主回路スイッチと、スイッチと当該スイッチと逆並列接続され当該スイッチとは逆方向の電流のみを流す素子との組み合わせたユニットを複数組有するブリッジ接続体と、直流電源もしくはコンデンサとを有し、前記主回路スイッチに並列接続された強制転流回路と、前記主回路スイッチに流れる電流の状態を検出する検出手段と、前記検出手段からの出力に基づいて前記強制転流回路のスイッチを制御することで、前記強制転流回路から供給される出力電流の重畳により前記主回路スイッチに流れる電流を強制的に電流零点にして遮断し、遮断失敗のときは前記強制転流回路のスイッチの切替により再び強制的に電流零点をつくることを繰り返す制御回路とを備えたものである。
【０００７】
また、前記制御回路は、前記主回路スイッチに流れる電流を強制的に電流零点にして前記主回路スイッチを遮断し、遮断失敗のときは前記強制転流回路のスイッチを切ることにより前記強制転流回路の出力電流を前記直流電源もしくはコンデンサに帰還することで主回路スイッチに流れる電流を再び電流零点にし、さらに遮断失敗のときは、再び前記強制転流回路のスイッチを入りにすることで、強制転流回路の出力電流を増加させ、前記主回路スイッチに流れる電流を再び電流零点にし、同様に前記スイッチを入り切りすることで、前記主回路スイッチに流れる電流を再び強制的に電流零点になることを繰り返すことが特徴とするものである。
【０００８】
また、前記制御回路は、前記主回路スイッチに流れる電流を強制的にする電流零点で遮断失敗のときは前記強制転流回路から前記主回路スイッチに流れる出力電流を環流する回路に切り替えることで再び電流零点をつくることを特徴とするものである。
【０００９】
また、前記検出手段は、前記主回路スイッチに流れる電流を測定するセンサであることを特徴とするものである。
【００１０】
また、前記強制転流回路におけるスイッチの許容極間電圧を、主回路スイッチが電流遮断した後、主回路の回生エネルギー吸収により上昇する前記コンデンサまたは直流電源の電圧より高く設定することを特徴とするものである。
【００１１】
また、前記ブリッジ接続体を有する前記強制転流回路に代えて、前記主回路スイッチに直流電流が流れる場合に、スイッチと当該スイッチと逆並列接続され当該スイッチとは逆方向の電流のみを流す素子からなるユニットと、直流電源もしくはコンデンサと、出力電流を環流させるための整流素子とで構成された他の強制転流回路に置き換えたことを特徴とするものである。
【００１２】
さらに、前記主回路スイッチと前記強制転流回路との間にトランスを配置することが特徴とするものである。
【００１３】
【発明の実施の形態】
実施の形態１．
図１は、この発明の実施の形態１に係る強制的電流零点をつくる強制転流回路付き開閉装置を示す回路図である。強制転流回路付き開閉装置は、図１に示すように、主回路スイッチ１とこの主回路スイッチ１に並列接続され強制的に電流零点をつくる強制転流回路６０とで構成される。強制転流回路６０は、スイッチ（Ｓ１，Ｓ２，Ｓ３，Ｓ４）１１，２１，３１，４１とダイオード（Ｄ１，Ｄ２，Ｄ３，Ｄ４）１２，２２，３２，４２の逆並列接続したもの４組によりブリッジ接続した構成と、直流電源３とから構成される。
【００１４】
ここで、スイッチ（Ｓ１，Ｓ２，Ｓ３，Ｓ４）１１，２１，３１，４１は、自己消弧形スイッチで、例えばＩＧＢＴ、ＧＴＯ等の半導体スイッチであるが、自己消弧形スイッチではないサイリスタなどのスイッチの場合、強制転流回路を付加すれば有効である。また、ダイオード（Ｄ１，Ｄ２，Ｄ３，Ｄ４）１２，２２，３２，４２は、いわゆる整流ダイオードであり、一方向の電流のみ流す素子である。
【００１５】
主回路スイッチ１に流れる電流を主回路スイッチ電流５０、強制転流回路６０からの出力電流を強制転流回路６０の出力電流５１、主回路に流れる電流を全電流５２とする。転流回路付き開閉装置の検出、制御系として、電流センサ８、制御回路７を備えており、電流センサ８は、主回路スイッチ電流５０を検出し、制御回路７は、電流センサ８の出力に基づいて強制転流回路６０を構成するスイッチ（Ｓ１，Ｓ２，Ｓ３，Ｓ４）１１，２１，３１，４１とダイオードのブリッジ（Ｄ１，Ｄ２，Ｄ３，Ｄ４）１２，２２，３２，４２を制御する。なお、電流センサ８は、主回路スイッチ１の両端間電圧を測定するセンサに代替して測定される電圧に基づいて主回路スイッチ１に流れる電流の状態を検出するようにしても良い。また、図１において、４は主回路のインダクタンス、５は強制転流回路６０のインダクタンスを示す。
【００１６】
また、強制転流回路６０として、図２に示すように、図１における直流電源３をコンデンサ３０１に置き換えて、主回路電源により充電してもよい。コンデンサ３０１は、急充放電、多頻度向けに有用であるが、急充放電、多頻度用途でない仕様では大容量の電池等電力貯蔵装置であってもよい。
【００１７】
次に、強制転流回路付き開閉装置の遮断動作を説明する。主回路上で地絡事故、他相間短絡事故で主回路に流れる電流が増大したときや電圧低下したときなどの緊急事態、または任意に主回路電流を遮断する場合、まず、主回路スイッチ１は、制御回路７から開極指令を受け、接点開極を行う。
【００１８】
図３に、各部分に流れる電流として、主回路スイッチ電流５０、強制転流回路の出力電流５１及び全電流５２の波形と、主回路スイッチ１における可動接点の移動距離５５０が示されている。また、図３において、５５１は遮断可能性９０％の移動距離範囲、５５２は遮断可能性９５％の移動距離範囲、５５３は遮断可能性１００％の移動距離範囲である。
【００１９】
主回路スイッチ電流５０は、強制転流回路６０の出力電流５１の重畳後、最初に電流零点になったとき、主回路スイッチ電流５０の可動接点の移動距離範囲５５１は電流遮断に十分な移動距離に達していないので、遮断失敗をする可能性がある。そこで、遮断失敗した場合、主回路スイッチ１が主回路スイッチ電流５０を遮断するまで、主回路スイッチ電流５０の電流零点をつくることを繰り返すようにする。そのため、制御回路７は、電流センサ８による強制転流回路の電流５０の検出に基づいて強制転流回路６０の出力電流５１を、図３に示す増減を繰り返すように制御する。
【００２０】
図４に、各部分に流れる電流として、主回路スイッチ電流５０、強制転流回路の出力電流５１及び全電流５２の波形と、図２におけるコンデンサ３０１のコンデンサ電圧５３の波形と、スイッチ（Ｓ１）１１の極間電圧の波形が示されている。また、図４において、５４はコンデンサ電圧５３の初期充電電圧、５５は遮断後のコンデンサの電圧、５６は遮断後、回生エネルギーを吸収して、電圧が変化した分である。主回路スイッチ１により主回路スイッチ電流５０を遮断した後、コンデンサ３０１は主回路の回生エネルギーを吸収して、遮断後のコンデンサの電圧Ｖｃｆ５５を得る。
【００２１】
次に、強制転流回路６０の出力電流５１が増減を繰り返す制御について図５を参照して説明する。図５に、直流電源３またはコンデンサ３０１に電流を帰還させることを利用した方式における、強制転流回路６０の出力電流５１、強制転流回路６０の出力電圧５７、スイッチ状態が示されている。例えば、主回路スイッチ電流５０が図１における矢印方向の電流である場合、制御回路７は、電流センサ８から電流方向を検出し、スイッチ（Ｓ１）１１、スイッチ（Ｓ４）４１に入り指令を出すことで、スイッチ（Ｓ１）１１、スイッチ（Ｓ４）４１は入りとなり、強制転流回路６０の出力電流５１が主回路スイッチ１に流れる。
【００２２】
主回路スイッチ１が遮断失敗した場合、制御回路７は、電流センサ８から主回路スイッチ１が遮断失敗して、電流が流れていることを検出して、直ちにスイッチ（Ｓ１）１１、スイッチ（Ｓ４）４１に切り指令を出す。スイッチ（Ｓ１）１１、スイッチ（Ｓ４）４１が電流を切ると、強制転流回路６０の出力電流５１は、ダイオード（Ｄ２）２２、（Ｄ３）３２を通って直流電源３またはコンデンサ３０１に帰還することで減少しながら流れる。
【００２３】
主回路スイッチ電流５０が再び電流零点になり、このときも主回路スイッチ１は遮断出来なかった場合、制御回路７は、電流センサ８から主回路スイッチ１が遮断失敗して、電流が流れていることを検出して、スイッチ（Ｓ１）１１、スイッチ（Ｓ４）４１を入り指令を出す。強制転流回路出力電流５１を供給することで、強制転流回路出力電流５１は増加して、主回路スイッチ電流５０が三度目の電流零点を迎える。
【００２４】
このようなことを繰り返して、主回路スイッチ１が主回路スイッチ電流５０を遮断するまでスイッチ（Ｓ１）１１、スイッチ（Ｓ４）４１を繰り返すことで、強制転流回路出力電流５１は増減を繰り返すことが出来る。主回路スイッチ電流５０が図１における矢印方向と反対の場合、スイッチ（Ｓ２）２１、スイッチ（Ｓ４）３１の入り切りで主回路スイッチ電流５０は零点を繰り返すように強制転流回路出力電流５１は図１にある方向と逆方向に流れて、増減を繰り返すようになる。
【００２５】
図６に、電流を環流させることを利用した方式における、強制転流回路の出力電流５１、強制転流回路６０の出力電圧５７、スイッチ状態が示されている。図５の方式と同様に、主回路スイッチ電流５０が図１における矢印方向の電流である場合、制御回路７は、電流センサ８から電流方向を検出し、スイッチ（Ｓ１）１１、スイッチ（Ｓ４）４１に入り指令を出し、スイッチ（Ｓ１）１１、スイッチ（Ｓ４）４１は入りとなり強制転流回路の出力電流５１が主回路スイッチ１に流れる。
【００２６】
主回路スイッチ１が遮断失敗した場合、制御回路７は電流センサ８から主回路スイッチ１が遮断失敗して、電流が流れていることを検出して、直ちにスイッチ（Ｓ４）４１に切り指令、スイッチ（Ｓ３）３１に入り指令を出す。スイッチ（Ｓ４）１１は電流を切り、スイッチ（Ｓ３）３１が入りになると、強制転流回路出力電流５１は環流しながら減少する。
【００２７】
主回路スイッチ電流５０が再び電流零点になり、このときも主回路スイッチ１は遮断出来なかった場合、制御回路７は電流センサ８から主回路スイッチ１が遮断失敗して、電流が流れていることを検出して、スイッチ（Ｓ４）４１に入り指令を、スイッチ（Ｓ３）３１に切り指令を出す。強制転流回路出力電流５１を供給することで、強制転流回路出力電流５１は増加して、主回路スイッチ電流５０が三度目の電流零点を迎える。
【００２８】
このようなことを繰り返して、主回路スイッチ１が主回路スイッチ電流５０を遮断するまでスイッチ（Ｓ１）１１、スイッチ（Ｓ４）４１、スイッチ（Ｓ３）３１の入り切りを繰り返すことで、強制転流回路出力電流５１は増減を繰り返すことが出来る。また、強制転流回路出力電流５１を環流させるとき、スイッチ（Ｓ４）４１、スイッチ（Ｓ２）２１を入り、スイッチ（Ｓ１）１１、スイッチ（Ｓ３）３１を切っても、同様に強制転流回路出力電流５１は増減を繰り返すことが出来る。
【００２９】
また、主回路スイッチ電流５０が図１における矢印方向と反対の場合、スイッチ（Ｓ２）２１、スイッチ（Ｓ３）３１、スイッチ（Ｓ１）１１の入り切りまたはスイッチ（Ｓ２）２１、スイッチ（Ｓ３）３１、スイッチ（Ｓ４）４１で主回路スイッチ電流５０は零点を繰り返すように強制転流回路出力電流５１は図１にある方向と逆方向に流れて、同様に増減を繰り返すようになる。
【００３０】
次に、スイッチ（Ｓ１，Ｓ２，Ｓ３，Ｓ４）１１，２１，３１，４１の耐圧仕様に関して説明する。図７に、各部分に流れる電流として、主回路スイッチ電流５０、強制転流回路の出力電流５１、全電流５２の波形と図２におけるコンデンサ３０１のコンデンサ電圧５３の波形と、スイッチ（Ｓ１）１１の極間電圧の波形、スイッチ（Ｓ１，Ｓ２，Ｓ３，Ｓ４）１１，２１，３１，４１の状態が示される。
【００３１】
主回路スイッチ１が主回路スイッチ電流５０を遮断した後、主回路の回生エネルギーはコンデンサ３０１に流れ込み遮断後のコンデンサの電圧５５はＶｃｆとなる。このとき、例えばスイッチ（Ｓ１）１１の極間電圧はＶｃｆとなる。よって、スイッチ（Ｓ１）１１の極間の耐電圧はＶｃｆより大きい仕様のスイッチを選ぶか、主回路のインダクタンスを少なくするか主回路スイッチ電流５０の仕様を小さく設定するなどの処置が必要である。
【００３２】
次に、主回路スイッチ１の構成について図８を参照して説明する。図８において、９０は真空バルブ、９１は固定接点、９２は可動接点、９３は開極用コイル、９４は閉極用コイル、９５は反発板、９６は接圧発生・開極保持機構、９７は上部端子、９８は下部端子である。開極用コイルに開閉駆動用の電磁反発機構は、開極用コイル９３、閉極用コイル９４、低電気抵抗材の反発板９５で構成され、図示していないが、充電コンデンサの電源からパルス電流をこれらコイルに放電することにより開閉駆動するようになっている。開極用コイル９３及び閉極用コイル９４と反発板９５はお互いに対向している。
【００３３】
次に開極動作について説明する。図８において、真空バルブ９０の最大許容通電電流による電磁反発力でも可動接点９２と固定接点９１が離れないように、接圧発生・開極保持機構９６は紙面上向きの閉極方向に荷重を発生させ、可動接点９２を固定接点９１に押し当てている。開極用コイル９３にパルス電流を放電すると磁界が発生し、相互作用によって、反発板９５に誘導電流が流れ、反発板９５は開極用コイル９３に対して紙面下向きの開極方向の電磁反発力を受ける。
【００３４】
電磁反発力が接圧発生・開極保持機構９６による紙面上向きの閉極方向の荷重を越えると、反発板９５に連なる可動電極５は下向きに動作・加速する。接圧発生・開極保持機構９６は開極距離を越えると開極保持する。通常の真空スイッチでは開極指令から接点が離れるまでの時間は２０〜３０ｍｓであるところ、この電磁反発開極機構を用いたスイッチでは３ｍｓ以内を実現している。主回路の短絡事故時に主回路スイッチ電流５０が増加しないうちに主回路スイッチ１が開極することにより早く強制転流が出来るので、強制転流回路出力電流は大きくする必要が無くなり、強制転流回路の容量は小さくできるようになる。
【００３５】
実施の形態２．
図９は、この発明の実施の形態２に係る開閉装置を示す構成図であり、主回路電流スイッチ電流５０が直流の場合における強制転流遮断の実施の形態を示す。図９において、強制転流回路６０は、直流電源３、スイッチ（Ｓ１）１１、ダイオード１２、ダイオード４３、強制転流回路の出力インダクタンス５で構成される。また、実施の形態１と同様に、直流電源３をコンデンサ３０１に置き換えて、主回路により充電してもよい。
【００３６】
次に、この実施の形態２に係る強制転流回路付き開閉装置の遮断動作を説明する。主回路スイッチ１は、実施の形態１と同様に、制御回路７から開極指令を受け、接点開極を行う。実施の形態１の図３と同様に、主回路スイッチ１における可動接点の移動距離５５０が強制転流回路の出力電流５１の重畳後、最初に電流零点になったとき、主回路スイッチ電流５０の可動接点の移動距離範囲５５１は電流遮断に十分な移動距離に達していないので、遮断失敗をする可能性がある。
【００３７】
そこで、遮断失敗した場合、主回路スイッチ１が主回路スイッチ電流５０を遮断するまで、主回路スイッチ電流５０の電流零点をつくることを繰り返すようにする。そのため、強制転流回路の出力電流５１を、図６と同様に電流を環流させることを利用して増減を繰り返すように制御する。主回路電流スイッチ電流５０が直流の場合、強制転流回路は、実施の形態１と比べ、少ないスイッチ、ダイオードで構成しても十分機能は発揮できる。
【００３８】
実施の形態３．
図１０は、この発明の実施の形態３に係る開閉装置を示す構成図であり、強制転流回路６０から出力される強制転流回路電流が主回路電流スイッチ電流５０と比べ小さく、トランス変換で強制転流回路電流５１を増やす場合の実施の形態を示す。図１０において、７０はトランスで、強制転流回路６０は実施の形態１ないし実施の形態２と同様な構成となっていて、ｎは巻線比で１より小さい。強制転流回路６０で構成されるスイッチ、ダイオードにおいて、通電可能な電流が限られ、強制転流回路電流を主回路電流スイッチ電流５０より大きくする効果がある。
【００３９】
【発明の効果】
以上のように、この発明によれば、強制転流回路のスイッチの切替を制御して速やかに再び電流零点をつくることを繰り返すことにより、主回路スイッチの可動接点をより確実に遮断する開極距離に移動させて、電流遮断の信頼性を向上させることができる。
【００４０】
また、強制転流回路におけるスイッチが強制転流回路の出力電流を切ることにより、強制転流回路の出力電流は直流電源もしくはコンデンサに帰還することで主回路スイッチに流れる電流は速やかに再び電流零点がつくられることにより、主回路スイッチの可動接点をより確実に遮断する開極距離に移動させて、電流遮断の信頼性を向上させることができる。
【００４１】
また、強制転流回路におけるスイッチが強制転流回路の出力電流を入り切りにより、出力電流は環流することで主回路スイッチに流れる電流は速やかに再び電流零点がつくられることにより、主回路スイッチの可動接点をより確実に遮断する開極距離に移動させて、電流遮断の信頼性を向上させることができる。
【００４２】
また、強制零点で主回路スイッチが遮断不能の場合、制御回路は主回路スイッチの電流を測定するセンサで電流を検出し、強制転流回路を制御することで、強制転流回路の出力電流を増減させることが出来、主回路スイッチに流れる電流は速やかに再び電流零点がつくられることにより、主回路スイッチの可動接点をより確実に遮断する開極距離に移動させて、電流遮断の信頼性を向上させることができる。
【００４３】
また、強制転流回路におけるスイッチの許容極間電圧を主回路回生エネルギー吸収により電圧上昇した前記コンデンサまたは直流電源の電圧より高く設定することにより、強制転流回路におけるスイッチの過電圧破損を防ぐことができる。
【００４４】
また、主回路スイッチに直流電流が流れる場合に、強制転流回路の構成を少ない構成要素で達成でき、強制転流回路におけるスイッチにより強制転流回路の出力電流を入り切りすることにより、出力電流は環流させることで主回路スイッチに流れる電流は速やかに再び電流零点がつくられることにより、主回路スイッチの可動接点をより確実に遮断する開極距離に移動させて、電流遮断の信頼性を向上させることができる。
【００４５】
さらに、強制転流回路からの電流が主回路電流スイッチに流れる電流と比べ小さい場合、主回路スイッチと強制転流回路の間にトランスを配置することで、トランス変換で強制転流回路からの電流を主回路電流スイッチに流れる電流より大きくする効果がある。
【図面の簡単な説明】
【図１】  この発明の実施の形態１に係る強制的電流零点をつくる強制転流回路付き開閉装置を示す回路図である。
【図２】  図１に示す直流電源３をコンデンサ３０１に置き換えた開閉装置を示す回路図である。
【図３】  図１及び図２における主回路スイッチ電流５０、強制転流回路の出力電流５１及び全電流５２の波形と、主回路スイッチ１における可動接点の移動距離５５０を示す説明図である。
【図４】  図２における主回路スイッチ電流５０、強制転流回路の出力電流５１及び全電流５２の波形と、コンデンサ３０１のコンデンサ電圧５３の波形と、スイッチ１１の極間電圧の波形を示す説明図である。
【図５】  直流電源３またはコンデンサ３０１に電流を帰還させることを利用した方式における、強制転流回路６０の出力電流５１、強制転流回路６０の出力電圧５７、スイッチ状態を示す説明図である。
【図６】  電流を環流させることを利用した方式における、強制転流回路の出力電流５１、強制転流回路６０の出力電圧５７、スイッチ状態を示す説明図である。
【図７】  主回路スイッチ電流５０、強制転流回路の出力電流５１、全電流５２の波形と、図２におけるコンデンサ３０１のコンデンサ電圧５３の波形と、スイッチ１１の極間電圧の波形、スイッチ１１，２１，３１，４１の状態を示す説明図である。
【図８】  主回路スイッチ１の構成図である。
【図９】  この発明の実施の形態２に係る開閉装置を示す構成図である。
【図１０】  この発明の実施の形態３に係る開閉装置を示す構成図である。
【図１１】  電気学会研究会資料、ＳA-９７-３４、１９９７「高速スイッチを適用した限流装置」に開示された開閉装置を示す構成図である。
【図１２】  図１１の主回路スイッチ１に流れる電流、主回路スイッチ１と強制転流回路を流れる全電流、強制転流回路を流れる高周波電流をそれぞれ示す説明図である。
【符号の説明】
１  主回路スイッチ、３  強制転流回路の直流電源、４  主回路のインダクタンス、５  強制転流回路の出力インダクタンス、７  制御回路、８  電流センサ、１１，２１，３１，４１  スイッチ、１２，２２，３２，４２  ダイオード、４３  ダイオード、６０  強制転流回路、３０１  コンデンサ。
【図１】
0003711334.tif 000002
【図２】
0003711334.tif 000003
【図３】
0003711334.tif 000004
【図４】
0003711334.tif 000005
【図５】
0003711334.tif 000006
【図６】
0003711334.tif 000007
【図７】
0003711334.tif 000008
【図８】
0003711334.tif 000009
【図９】
0003711334.tif 000010
【図１０】
0003711334.tif 000011
【図１１】
0003711334.tif 000012
【図１２】
0003711334.tif 000013